(57)【要約】【課題】本発明は、エレベータ表示器の発光手段の劣化を検出することができるエレベータ表示器の点灯制御装置を得ることを目的とするものである。【解決手段】複数の乗場には、エレベータ表示器としての乗場表示器１と乗場点灯制御装置本体２とがそれぞれ設けられている。乗場表示器１は、昇降表示灯１ａ、現在階表示灯１ｂ、休止表示灯１ｃ、満員表示灯１ｄ、ＵＰ登録ボタン１ｅ及びＤＯＷＮ登録ボタン１ｆを点灯部として有している。昇降表示灯１ａ、現在階表示灯１ｂ、休止表示灯１ｃ、満員表示灯１ｄ、ＵＰ登録ボタン１ｅ及びＤＯＷＮ登録ボタン１ｆは、それぞれ発光手段としてのＬＥＤを含んでいる。昇降表示灯１ａ、現在階表示灯１ｂ、休止表示灯１ｃ、満員表示灯１ｄ、ＵＰ登録ボタン１ｅ及びＤＯＷＮ登録ボタン１ｆは、ＬＥＤの発光により点灯される。各ＬＥＤは、乗場点灯制御装置本体２から、点灯駆動電圧を受ける。【選択図】図１
2007070024.tif 000002
【特許請求の範囲】
【請求項１】
エレベータ表示器内の発光手段の消費電流値を発光パターン毎に測定し、測定した消費電流値と、発光パターン毎に登録された劣化判別電流値とを比較することにより、上記発光手段の劣化を検出する点灯制御装置本体
を備えていることを特徴とするエレベータ表示器の点灯制御装置。
【請求項２】
上記点灯制御装置本体は、事前に登録された初期の消費電流値である基準電流値から劣化判別電流値を算出することを特徴とする請求項１記載のエレベータ表示器の点灯制御装置。
【請求項３】
上記点灯制御装置本体は、上記発光手段の劣化を検出すると、その情報を保守センタの管理盤へと送信することを特徴とする請求項１又は請求項２に記載のエレベータ表示器の点灯制御装置。
【請求項４】
上記点灯制御装置本体は、上記発光手段の劣化を検出すると、どこの発光手段が劣化したかを示す位置情報を保守センタの管理盤へと送信することを特徴とする請求項３記載のエレベータ表示器の点灯制御装置。
【発明の詳細な説明】
【技術分野】
【０００１】
この発明は、例えばかご表示器及び乗場表示器等の点灯制御を行うエレベータ表示器の点灯制御装置に関するものである。
【背景技術】
【０００２】
従来の乗場位置表示器球切れ検出装置においては、光ファイバを介して乗場位置表示器に接続された処理装置により、乗場位置表示器の球切れが監視されており、球切れ検出時には、昇降路に設けられた球切れ警報ランプが点灯される（例えば、特許文献１参照）。
【０００３】
【特許文献１】特開平８−５９１１２号公報
【発明の開示】
【発明が解決しようとする課題】
【０００４】
上記のような従来の乗場位置表示器球切れ検出装置は、乗場位置表示器の球切れのみを検出し、球切れ前に乗場位置表示器の劣化を検出することができなかった。このため、球切れが発生してから作業員が交換作業を行う期間の乗客への利便性が低下していた。
【０００５】
この発明は、上記のような課題を解決するためになされたものであり、エレベータ表示器の発光手段の劣化を検出することができるエレベータ表示器の点灯制御装置を得ることを目的とする。
【課題を解決するための手段】
【０００６】
この発明に係るエレベータ表示器の点灯制御装置は、エレベータ表示器内の発光手段の消費電流値を発光パターン毎に測定し、測定した消費電流値と、発光パターン毎に登録された劣化判別電流値とを比較することにより、発光手段の劣化を検出する点灯制御装置本体を備えている。
【発明の効果】
【０００７】
この発明のエレベータ表示器の点灯制御装置は、点灯装置本体がエレベータ表示器に流れる消費電流値を測定し、点灯装置本体に登録された劣化判別電流値と測定した消費電流値とを比較するので、球切れ前にエレベータ表示器の発光手段の劣化を検出することができる。
【発明を実施するための最良の形態】
【０００８】
以下、この発明を実施するための最良の形態について、図面を参照して説明する。
実施の形態１．
図１は、この発明の実施の形態１による乗場点灯制御装置の構成を示す構成図である。
複数の乗場（図示せず）には、エレベータ表示器としての乗場表示器１と乗場点灯制御装置本体２とがそれぞれ設けられている。各乗場表示器１は、昇降表示灯１ａ、現在階表示灯１ｂ、休止表示灯１ｃ、満員表示灯１ｄ、ＵＰ登録ボタン１ｅ及びＤＯＷＮ登録ボタン１ｆを有している。
【０００９】
昇降表示灯１ａ、現在階表示灯１ｂ、休止表示灯１ｃ、満員表示灯１ｄ、ＵＰ登録ボタン１ｅ及びＤＯＷＮ登録ボタン１ｆは、それぞれ発光手段としてのＬＥＤ（Ｌｉｇｈｔ  Ｅｍｉｔｔｉｎｇ  Ｄｉｏｄｅ）を含んでいる。昇降表示灯１ａ、現在階表示灯１ｂ、休止表示灯１ｃ、満員表示灯１ｄ、ＵＰ登録ボタン１ｅ及びＤＯＷＮ登録ボタン１ｆは、ＬＥＤの発光により点灯される。
【００１０】
昇降表示灯１ａは、かごの昇降状態を示す。現在階表示灯１ｂは、かごの現在階を示す。休止表示灯１ｃは、エレベータの休止状態を示す。満員表示灯１ｄは、かごの満員状態を示す。ＵＰ登録ボタン１ｅ及びＤＯＷＮ登録ボタン１ｆは、乗場の乗客によりかごを呼ぶために操作される。また、ＵＰ登録ボタン１ｅ及びＤＯＷＮ登録ボタン１ｆは、乗客による操作に応じて、かごの呼び登録状態を示す。
【００１１】
また、昇降表示灯１ａ、現在階表示灯１ｂ、休止表示灯１ｃ、満員表示灯１ｄ、ＵＰ登録ボタン１ｅ及びＤＯＷＮ登録ボタン１ｆのＬＥＤは、乗場点灯制御装置本体（制御カード）２から点灯駆動電圧を受ける。乗場点灯制御装置本体２は、発光パターンに基づいて乗場表示器１内の複数のＬＥＤに点灯駆動電圧を出力し、ＬＥＤを発光させる。即ち、乗場点灯制御装置本体２は、発光パターンに基づいて複数のＬＥＤを組み合わせて発光させることにより、乗場表示器１が点灯されてエレベータの運行状況や乗客によるかごの呼び登録状態を乗客に示す。
【００１２】
さらに、乗場点灯制御装置本体２は、点灯主制御部２ａ、消費電流測定回路２ｂ、ＬＥＤ点灯駆動回路２ｃ、電流値保存部（外部記憶装置）２ｄ、Ｉ／Ｆ回路２ｅ及び階床設定スイッチ２ｆを有している。点灯主制御部２ａは、ＬＥＤの点灯命令及び劣化情報の生成を行うとともに、乗場点灯制御装置本体２の全体の制御を行う。劣化情報とは、ＬＥＤの輝度の低下又は断線を外部に知らせるための情報である。消費電流測定回路２ｂは、ＬＥＤの発光パターンに応じた消費電流値を測定する。点灯駆動回路２ｃは、点灯主制御部２ａから点灯命令に応じて、点灯駆動電圧を各ＬＥＤに出力する。
【００１３】
電流値保存部２ｄは、書き換え可能なＲＡＭ（Ｒａｎｄｏｍ  Ａｃｃｅｓｓ  Ｍｅｍｏｒｙ）である。また、電流値保存部２ｄには、ＬＥＤの発光パターン毎の初期の消費電流値である基準電流値と、基準電流値に基づいて算出された劣化判別電流値とが格納されている。Ｉ／Ｆ回路２ｅは、点灯主制御部２ａと外部機器との通信のデータの入出力を行う。階床設定スイッチ２ｆには、乗場点灯制御装置本体２が設置された乗場階毎に個別の位置情報としての階情報が登録されている。
【００１４】
さらに、点灯主制御部２ａは、測定した消費電流値と基準電流値とをＬＥＤの発光パターン毎に比較する。消費電流値と基準電流値とが同等の場合、点灯主制御部２ａは、異常なしと判断する。また、消費電流値が基準電流値を超過した場合、点灯主制御部２ａは、測定した消費電流値を基準電流値に上書きする。これにより、設置後のＬＥＤの個体差による消費電流値の変動を吸収する。
【００１５】
消費電流値が劣化判別電流値よりも下回っている場合、点灯主制御部２ａは、ＬＥＤが劣化したと判断し、劣化情報を生成する。ここで、劣化判別電流値とは、発光パターン毎の消費電流値の計測誤差、及び微弱な消費電流の変化等による誤検出を防ぐために設定された電流値である。また、発光パターンによってＬＥＤの発光個数が異なるため、劣化判別電流値は、発光パターン毎に電流値が設定されている。例えば、多数のＬＥＤにより構成される発光パターンの劣化判別電流値には、基準電流値の１％低い電流値が設定されている。小数のＬＥＤにより構成される発光パターンの劣化判別電流値には、基準電流値の１０％低い電流値が設定されている。
【００１６】
かご（図示せず）には、かご表示器３とかご点灯制御装置本体４とが設けられている。かご表示器３は、点灯部を有している。かご表示器３の点灯部は、発光手段としてのＬＥＤを含んでおり、ＬＥＤの発光により点灯される。かご表示器３内のＬＥＤは、かご点灯制御装置本体４から点灯駆動電圧を受ける。かご点灯制御装置本体４は、乗場点灯制御装置本体２と同一の構成である。
【００１７】
乗場点灯制御装置本体２及びかご点灯制御装置本体４は、エレベータ信号伝送ライン６を介して、エレベータ制御部５と通信可能に接続されている。また、乗場点灯制御装置本体２及びかご点灯制御装置本体４は、エレベータ制御部５から点灯制御信号を受ける。エレベータ制御部５は、かごの運転を制御する。また、エレベータ制御部５は、エレベータを管理する保守センタの管理盤と通信する。
【００１８】
次に、動作について図２のフローチャートに沿って説明する。図２は、図１の点灯主制御部２ａの動作を示すフローチャートである。まず、電源投入後、点灯主制御部２ａは、ＬＥＤの発光パターン毎の基準電流値を記憶しているかどうかを確認する（ステップＳ１）。
【００１９】
基準電流値を記憶していない場合、点灯主制御部２ａは、点灯テストモードとなり、ＬＥＤの発光パターン毎の基準電流値を測定し、記憶する。また、点灯主制御部２ａは、測定した基準電流値から劣化判別電流値を算出する（ステップＳ２）。そして、基準電流値を記憶している場合、点灯主制御部２ａは、エレベータ制御部５からＬＥＤの点灯制御信号を受けたかどうかを監視する（ステップＳ３）。
【００２０】
点灯主制御部２ａがエレベータ制御部５から点灯制御信号を受けると、点灯主制御部２ａは、点灯制御信号の発光パターンに応じてＬＥＤを点灯させ、その発光パターンのＬＥＤの消費電力値を測定し、記憶する（ステップＳ４）。消費電力値の測定が終わると、点灯主制御部２ａは、測定した発光パターンの消費電力値が同一発光パターンの劣化判別電流値よりも下回っているかどうかを判断する（ステップＳ５）。
【００２１】
消費電流値が劣化判別電流値以上である場合、点灯主制御部２ａは、乗場表示器１が測定した消費電流値と基準電流値とが同等かどうかを確認する（ステップＳ６）。消費電流値と基準電流値とが同等の場合、点灯主制御部２ａは、エレベータ制御部５から点灯制御信号を受けるまで待機する（ステップ３）。
【００２２】
また、消費電流値と基準電流値とが同等でない場合、即ち、測定した消費電流値が基準電流値を超過している場合、点灯主制御部２ａは、測定した消費電流値を基準電流値として、その発光パターンの基準電流値に上書きし（ステップＳ７）、エレベータ制御部５から点灯制御信号を受けるまで待機する（ステップ３）。
【００２３】
さらに、消費電流値が劣化判別電流値よりも下回っている場合、消費電流値と階床設定スイッチ２ｆに登録された乗場階情報とに基づいて劣化情報を生成し（ステップＳ８）、エレベータ信号伝送ライン６を介して、エレベータ制御部５へと劣化情報を送る（ステップＳ９）。そして、点灯主制御部２ａは、エレベータ制御部５から点灯制御信号を受けるまで待機する（ステップ３）。
【００２４】
ここで、劣化情報を受けたエレベータ制御部５は、保守センタの管理盤へと劣化情報を送信する。
【００２５】
また、点灯主制御部２ａは、記憶部（ＲＯＭ）を有するワンチップマイコンで構成されている。点灯主制御部２ａの記憶部には、図２の動作を実行するためのプログラムが格納されている。さらに、エレベータ制御部５は、演算処理部（ＣＰＵ）、記憶部（ＲＯＭ、ＲＡＭ及びハードディスク等）及び信号入出力部を持ったコンピュータ（図示せず）により構成することができる。
【００２６】
さらにまた、かご点灯制御装置本体４の動作は、点灯主制御部２ａの動作と同じである。
【００２７】
上記のような点灯制御装置では、乗場表示器１内のＬＥＤの消費電流値と劣化判別電流値とを比較したので、乗場表示器１及びかご表示器３内のＬＥＤの劣化を検出することができる。即ち、輝度が低下したＬＥＤは、消費電流値が低下しており、劣化判別電流値と測定したＬＥＤの消費電力値とを比較することにより、ＬＥＤの輝度の低下及びＬＥＤの断線を検出することができる。
【００２８】
また、ＬＥＤの輝度の低下を検出し、劣化情報を保守センタの管理盤へと送信するので、ＬＥＤの断線前に作業員が交換作業を行うことができ、ＬＥＤの断線による利便性の低下を防ぐことができる。
【００２９】
さらにまた、乗場表示器１内のＬＥＤの劣化の場合には、乗場階情報が劣化情報に付加されているため、作業員が即座に乗場階情報が示す階の乗場表示器１内のＬＥＤの交換作業を行うことができ、作業効率を向上させることができる。
【００３０】
なお、実施の形態１では、乗場表示器１内及びかご表示器３内の発光手段には、ＬＥＤを用いたが、ＬＥＤに限定するものではなく、消費電流の低下により輝度の低下又は断線が検出できるものであればよい。例えば、エレベータ表示器の発光手段は、電球、蛍光管、無機ＥＬ（Ｅｌｅｃｔｒｏ  Ｌｕｍｉｎｅｓｃｅｎｃｅ）及び有機ＥＬ等を用いてもよい。
【００３１】
また、実施の形態１では、劣化判別電流値が基準電流値よりも低い電流値が設定されていたが、劣化判別電流値が基準電流値と同一の電流値であってもよい。
【００３２】
さらに、実施の形態１では、エレベータ制御部５が保守センタの管理盤へと劣化情報を中継していたが、点灯制御装置本体が直接保守センタの管理盤へと劣化情報を送信してもよい。
【００３３】
さらにまた、実施の形態１では、位置情報に乗場階情報を用いたが、乗場階情報に限らず、発光手段の位置が特定できるものであればよい。例えば、各発光手段に固有のアドレス番号を付して、点灯制御装置本体が劣化している発光手段のアドレス番号を保守センタの管理盤に送信してもよい。
【図面の簡単な説明】
【００３４】
【図１】この発明の実施の形態１による乗場点灯制御装置の構成を示す構成図である。
【図２】図１の点灯主制御部の動作を示すブロック図である。
【符号の説明】
【００３５】
１  乗場表示器（エレベータ表示器）、２  乗場点灯制御装置本体、３  かご表示器（エレベータ表示器）、４  かご点灯制御装置本体。
【図１】
2007070024.tif 000003
【図２】
2007070024.tif 000004